(57)【特許請求の範囲】
【請求項１】
カメラボディの前面に設けた撮影用開口の光軸周りに設けられたマウント部と、前記マウント部に取り付けられるアダプタ鏡筒と、前記アダプタ鏡筒を取り外した後に前記マウント部に装着される化粧リングと、を備え、
前記光軸周りの複数個所に突起を設けたバヨネット突起と、前記突起を光軸方向に進入させた後に光軸周りの一方向に進入させる溝を前記突起と同数設けたバヨネット溝とのいずれか一方を前記マウント部に、他方を前記アダプタ鏡筒及び前記化粧リングに設けたカメラシステムにおいて、
前記バヨネット突起は、第１突起のみを前記複数箇所に設けた第１形態と、前記第１突起とこれよりも光軸方向の長さ、又は光軸を中心とする径方向の長さを長くした第２突起とを前記複数個所に設けた第２形態とを有し、
前記バヨネット溝は、前記第１突起のみに係合する第１溝と前記第１突起及び前記第２突起の両方に係合する第２溝との両方で構成されている第１形態と、前記第２溝のみで構成されている第２形態とを有し、
前記第２形態のバヨネット突起、又は前記第１形態のバヨネット溝を前記マウント部に設け、
前記第１形態のバヨネット溝、又は前記第２形態のバヨネット突起を前記アダプタ鏡筒に設け、
前記第２形態のバヨネット溝、又は前記第１形態のバヨネット突起を前記化粧リングに設けることで、
前記化粧リングは、前記バヨネット突起と前記バヨネット溝とが嵌まり合う回転位置の全てで係合するように前記マウント部に装着されるとともに、
前記アダプタ鏡筒は、前記バヨネット突起と前記バヨネット溝とが嵌まり合う回転位置のうちの前記カメラボディに対して所定の回転位置でのみ係合するように前記マウント部に装着されることを特徴とするカメラシステム。
【請求項２】
前記アダプタ鏡筒は、前記光軸前方の位置で外付け光学系を保持する長筒部と、前記カメラボディに設けたストロボ装置から放たれるストロボ光の光路を遮らないように前記長筒部の先端外周の一部を切り欠いたカット部と、を有し、前記カット部が所定の回転位置に来るように前記カメラボディに取り付けられることを特徴とする請求項１記載のカメラシステム。
【発明の詳細な説明】
【０００１】
【発明の属する技術分野】
本発明は、例えばフィルターやコンバーター等をもったアダプタと、アダプタを取り外したときに取り付けられる化粧リングと、カメラボディとからなるカメラシステムに関するものである。
【０００２】
【従来の技術】
従来、撮影レンズの前面にレンズフード等のレンズアダプターを取り付けるレンズアダプター取付装置が、特開平１０−１８６２０１号公報や特開平１０−１８６２０２号公報等に提案されている。そのレンズアダプター取付装置は、溝とその溝に係合する係合子とからなる。溝は、撮影レンズを内蔵したレンズ鏡筒の先端外周に設けられている。係合子は、レンズアダプターに設けられている。
【０００３】
上記公報記載の取付装置では、レンズ鏡筒にレンズアダプターを直接に取り付けるから、例えば不使用時にレンズ鏡筒がカメラボディに沈胴する沈胴式カメラの場合には、レンズアダプターを付けたまま沈胴させると、レンズアダプターがカメラボディに干渉してトラブルとなる虞がある。
【０００４】
特開平８−６２６９３号公報には、カメラボディ底面の三脚ネジを利用してカメラボディの底面に装着されるカメラ用アクセリー取付装置が記載されている。このアクセサリー取付装置は、撮影レンズの前面側に位置するように撮影用アダプターの取付部を有しており、この取付部に撮影用アダプターを装着する構造となっている。
【０００５】
【発明が解決しようとする課題】
前者記載のレンズアダプター取付装置では、レンズアダプターを用いないときに、レンズ鏡筒の先端外周に設けた溝が外観に露呈されるから、美観を損ねる虞がある。また、後者記載のカメラ用アクセサリー取付装置では、撮影用アダプターと、撮影用アダプターを保持するＬ字状の板との２部品で取付装置が構成されているから、部品点数が多く、コストアップとなる。また、使用時には、取付装置をカメラボディに装着した後、取付装置に撮影用アダプターを装着しなければならず、操作性も良好とは言えない。さらに、カメラボディとは別体の取付装置に撮影用アダプターが装着されるため、撮影光軸に対してずれが生じ易く、撮影用アダプターにコンバーターレンズ等が組み込まれている場合には、撮影画面に悪影響がでる虞がある。
【０００６】
本発明は上記問題点を解消するためになされたもので、その目的は、撮影レンズの前面にアダプター鏡筒を簡便にかつ的確に装着することができるマウント部を備えたカメラを提供することにある。また、アダプター鏡筒を装着しないときには、カメラの外観が損なわれないようにすることも、本発明の目的の一つである。
【０００７】
【課題を解決するための手段】
上記目的を達成するために、本発明のカメラシステムでは、第１突起のみを光軸周りの複数箇所に設けた第１形態と、前記第１突起とこれよりも光軸方向の長さ、又は光軸を中心とする径方向の長さを長くした第２突起とを前記複数個所に設けた第２形態とを有するバヨネット突起と；前記第１突起のみに係合する第１溝と前記第１突起及び前記第２突起の両方に係合する第２溝との両方で構成されている第１形態と、前記第２溝のみで構成されている第２形態とを有するバヨネット溝と；を備え、前記第２形態のバヨネット突起、又は前記第１形態のバヨネット溝を前記マウント部に設け；また、前記第１形態のバヨネット溝、又は前記第２形態のバヨネット突起を前記アダプタ鏡筒に設け；さらに、前記第２形態のバヨネット溝、又は前記第１形態のバヨネット突起を前記化粧リングに設けることで；前記バヨネット突起と前記バヨネット溝とが嵌まり合う回転位置の全てで係合するように化粧リングをマウント部に装着するとともに、前記バヨネット突起と前記バヨネット溝とが嵌まり合う回転位置のうちのカメラボディに対して所定の回転位置でのみ係合するようにアダプタ鏡筒をマウント部に装着するように構成したものである。
【０００８】
アダプタ鏡筒としては、光軸前方の位置で外付け光学系を保持する長筒部と、カメラボディに設けたストロボ装置から放たれるストロボ光の光路を遮らないように前記長筒部の先端外周の一部を切り欠いたカット部と、を有し、前記カット部が所定の回転位置に来るようにカメラボディに取り付けられる構成であってもよい。
【０００９】
【発明の実施の形態】
電子スチルカメラ２は、図１に示すように、撮影レンズ３を交換することができないタイプであり、また、不使用時に撮影レンズ３を内蔵したレンズ鏡筒４がカメラボディ５の内部に沈胴する沈胴式タイプのカメラである。カメラボディ５には、シャッタボタンやズーム操作部等をもった操作部やファインダー対物窓７ａ，接眼窓７ｂ、及びストロボ発光部８等が設けられ、また、前面には、レンズ鏡筒４が出入りする開口５ａを取り囲む位置にマウント部９が設けられている。ストロボ発光部８は、レンズ鏡筒４の上方に配置され、カメラボディ５の上面に配置したポップアップボタン８ａを押下操作することでポップアップする。
【００１０】
撮影レンズ３は、ズームレンズとなっている。レンズ鏡筒４は、ズーム操作部の操作に応答して、マウント部９に沈胴する沈胴位置と図２に示すように前方に突出した突出位置との間で移動する。撮影レンズ３は、レンズ鏡筒４の移動により焦点距離が変更される。
【００１１】
マウント部９には、図３に示すように、化粧リング１０とアダプターとの何れか一方を着脱自在に取り付けるためのバヨネット突起１１と、ロック手段１２とが設けられている。バヨネット突起１１は、光軸３ａを中心とする周方向に所定間隔離して配列されており、相手側、すなわち化粧リング１０又はアダプターに設けたバヨネット溝とで回転により嵌め外しが可能なバヨネット結合を構成する。バヨネット結合は、バヨネット突起とバヨネット溝とを光軸方向に沿って嵌合させた装着開始位置で嵌め外しが行え、バヨネット突起及び溝を光軸回りに相対的に回転させた装着完了位置で結合する。
【００１２】
化粧リング１０は、撮影レンズ３を露呈し、且つレンズ鏡筒４の出入りを許容する開口１３と、バヨネット突起１１及びロック手段１２とを隠すリング部１４とをもっている。
【００１３】
アダプター１５は、図４に示すように、撮影レンズ３の前面に配置される広角用のフロントコンバーター１６と、フロントコンバーター１６を保持する鏡筒部１７とをもっており、フロントコンバーター１６の倍率に応じた種類の分だけ複数用意されている。鏡筒部１７は、光軸３ａの方向の長さがフロントコンバーター１６の背後で変倍時のレンズ鏡筒４の移動を許容する長さとなっており、また、外周にはストロボ光路をけらないように先端寄りの一部をＤ字型にカットしたＤカット部１８をもっている。フロントコンバーター１６は、ズームレンズがもつ焦点可変域の全体を広角又は望遠側にシフトする作用をもつ。
【００１４】
バヨネット突起１１ａ〜１１ｃは、図５に示すように、光軸３ａを中心とする周方向の等間隔又は不等間隔位置に、光軸３ａを中心とする径方向に突出してそれぞれ設けられている。そのうちの１つは、アダプター１５の取付位置をＤカット部１８が特定位置に向く取付位置に規制するために、光軸３ａの方向の長さが他の第１突起１１ａ，１１ｂよりも長くされた第２突起１１ｃとなっている。
【００１５】
ロック手段１２は、ロック爪２０、ロック解除操作部２１、及びバネ２２で構成されている。ロック爪２０は、マウント部９から前方に向けて露呈されており、化粧リング１０及びアダプター１５の後側端面に設けたロック溝に係合して化粧リング１０又はアダプター１５の回転をロックする。ロック解除操作部２１は、マウント部９から外部に露呈されており、操作されることでロック爪２０をマウント部９から外部に露呈したロック位置と内部に退避したロック解除位置との間で移動させる。バネ２２は、ロック解除操作部２１をロック位置に向けて付勢している。
【００１６】
化粧リング１０には、図６に示すように、リング部１４の内周後端にバヨネット溝２４ａ〜２４ｃとロック溝２５とが設けられている。バヨネット溝２４ａ〜２４ｃは、光軸３ａを中心とする周方向にバヨネット突起１１ａ〜１１ｃと同じ間隔で、且つ同数配置されており、各バヨネット溝２４ａ〜２４ｃには、切り欠き部２６とガイド部２７とをもっている。切り欠き部２６は、バヨネット突起１１ａ〜１１ｃの光軸３ａの方向への挿入を受け入れ、バヨネット突起１１ａ〜１１ｃをガイド部２７に導く。ガイド部２７は、バヨネット突起１１ａ〜１１ｃを光軸３ａを中心とする周方向のうちの何れか一方へ所定量だけ回転させて、バヨネット突起１１ａ〜１１ｃの光軸３ａの方向への移動を阻止する。
【００１７】
３つのバヨネット溝２４ａ〜２４ｃのすべては、ガイド部２７の光軸３ａの方向の長さが、第２突起１１ｃが入り込む長さとなっている。したがって、バヨネット溝２４ａ〜２４ｃには、第１突起１１ａ，１１ｂも入り込む。これにより、化粧リング１０は、第２溝２４ａ〜２４ｃを第１及び第２突起１１ａ〜１１ｃに合わせる３つの取付位置のうちのいずれの取付位置でもマウント部９に取り付けることができる。これらのバヨネット溝２４ａ〜２４ｃは、本発明の第２溝に相当する。
【００１８】
ロック溝２５は、第２溝２４ａ〜２４ｃに対応して３つ設けられており、第１及び第２突起１１ａ〜１１ｃがガイド部２７に入り込んだときに何れか一つがロック爪２０に係合して、第１及び第２突起１１ａ〜１１ｃの光軸３ａを中心とする周方向への移動を阻止する。
【００１９】
図７に示すように、鏡筒部１７の内周後端にもバヨネット溝２８ａ〜２８ｃとロック溝２９とが設けられている。バヨネット溝２８ａ〜２８ｃは、光軸３ａを中心とする周方向にバヨネット突起１１ａ〜１１ｃと同じ間隔で、且つ同数配置されており、前述したと同じ作用をする切り欠き部３０とガイド部３１，３２とをそれぞれもっている。
【００２０】
３つのバヨネット溝２８ａ〜２８ｃのうちの１つは、ガイド部３２の光軸３ａの方向に沿った長さが、第２突起１１ｃに嵌合する長さになった第２溝２８ｃとなっている。他の２つの第１溝２８ａ，２８ｂのガイド部３１の光軸３ａの方向に沿った長さは、第１突起１１ａ，１１ｂが入り込み、且つ、第２突起１１ｃが入り込まない長さとなっている。
【００２１】
これにより、アダプター１５は、第１及び第２溝２８ａ〜２８ｃを第１及び第２突起１１ａ〜１１ｃに合わせる３つの取付位置のうちの第２溝２８ｃを第２突起１１ｃに合わせた取付位置のときのみマウント部９に取り付けることができる。ロック溝２９は、第２溝２８ｃに対応した位置に１つ設けられており、第２突起１１ｃが第２溝２８ｃのガイド部３１に入り込んだときにロック爪２０に係合する。
【００２２】
上記構成の作用を説明する。電子スチルカメラ２のマウント部９には、通常、化粧リング１０が取り付けられている。電源ボタンをＯＮするとレンズ鏡筒４が開口５ａと化粧リング１０の開口１３とを通して前方に僅かに繰り出され、撮影レンズ３の焦点距離がワイド端に設定される。その後ファインダー接眼窓７ｂを覗きながらズーム操作部を操作して被写体倍率を決めてからシャッタボタンを押すことで被写体画像が撮像される。
【００２３】
撮影レンズ３のズーム倍率を変更する場合には、アダプター１５を装着する。アダプター１５を装着する場合には、まず、化粧リング１０を取り外す。化粧リング１０の取り外しは、ロック解除操作部２１を押しながらリング部１４を装着完了位置から取り付け時と逆方向に回転させる。ロック解除操作部２１を押すと、ロック爪２０がバネ２２の付勢に抗してロック位置からロック解除位置に移動される。ロック解除操作部２１の押し込み操作は、リング部１４を僅かに回転させることによりロック爪２０がロック溝２５の位置からずれ、リング部１４の端面１４ａでロック爪２０が押し込まれるから、回転させた後には必要ない。リング部１４の回転は、第１及び第２突起１１ａ〜１１ｃがガイド部２７の端に当接するまで行われる。その後は、リング部１４を光軸３ａの方向にスライドさせることで、第１及び第２突起１１ａ〜１１ｃが切り欠き部２６を通って外部に脱する。これにより、化粧リング１０がマウント部９から取り外ずされる。
【００２４】
アダプター１５は、第２溝２８ｃを第２突起１１ｃに合わせた取付位置のときのみマウント部９に取り付く。したがって、アダプター１５を装着するときには、第２溝２８ｃを第２突起１１ｃに合わせた後に回転させる。このとき、鏡筒部１７の端面でロック爪２０がバネ２２の付勢に抗して押し込まれ、鏡筒部１７の回転操作の邪魔をすることはない。
【００２５】
第２溝２８ｃと第２突起１１ｃとが合っていないときには第２突起１１ｃがガイド部３１に入り込まないから回転しない。このときには、第２突起１１ｃを切り欠き部３０から外して異なる取付位置で再び装着する。第２溝２８ｃのガイド部３２に第２突起１１ｃが入り込むと、ロック爪２０がロック溝２９に係合する。これにより、マウント部９には、撮影レンズ３の光軸３ａの上で鏡筒部１７が保持された状態でアダプター１５が固定され、また、アダプター１５は、Ｄカット部１８が特定の位置に決められる。このように、特定の角度で装着可能であることを表示するために、図４に示すように、マウント部９及び鏡筒部１７に指標９ａ，１７ａを設けてもよい。指標９ａ，１７ａには、第２溝２８ｃと第２突起１１ｃとを合わせるための作用と、合わせた後にアダプター１５を回転させる方向を示す作用とをもたせるのが望ましい。この場合には、アダプター１５又は化粧リング１０を取り付けると指標９ａが隠れるようにしておくと、外観を損ねるようなことはない。
【００２６】
アダプター１５を装着すると、撮影レンズ３の前にフロントコンバーター１６が配置される。ズーム操作を行うと、鏡筒部１７の内部で、且つフロントコンバーター１６の背後でレンズ鏡筒４が移動する。
【００２７】
フロントコンバーター１６を使用しないときには、アダプター１５を外す。このときも、ロック解除操作部２１を押しながら鏡筒部１７を取り付け時と逆方向に回転させ、その後に光軸３ａの方向に引き外す。外した後には、化粧リング１０を取り付けておく。化粧リング１０は、第１及び第２溝２４ａ〜２４ｃの何れにも第２突起１１ｃが係合するから、どの取付位置でも取り付けることができ簡便である。また、どの取付位置でもロック爪２０がロック溝２５に係合する。これにより、容易には外れることはない。化粧リング１０を取り付けることで第１及び第２突起１１ａ〜１１ｃ、及びロック爪２０を隠すことができるから、電子スチルカメラの外観の美観を損ねることはない。
【００２８】
上記実施形態では、アダプター１５をマウント部９に着脱自在に取り付ける着脱手段をバヨネット結合手段としているが、本発明ではこれに限らず、ネジ式等の周知の着脱手段でもよい。また、アダプター取付位置規制手段として、第２突起１１ｃの光軸３ａの方向の長さを第１突起１１ａ，１１ｂよりも長くしているが、第１突起よりも光軸３ａを中心とする径方向の長さを長くしてもよい。この場合には、第２溝２４，２８ｃを第２突起に係合する深さにすればよい。
【００２９】
また、上記実施形態では、アダプター１５にフロントコンバーター１６を設けているが、本発明ではこれに限らず、例えばソフトフォーカスレンズ等の可変収差レンズや、偏光フィルター等の可変色フィルター等を設けてもよい。さらに、本発明は、電子スチルカメラに限らず、写真用カメラやビデオカメラ、プロジェクター等にも適用することができる。
【００３０】
【発明の効果】
以上のように本発明のカメラシステムでは、撮影レンズを内蔵したレンズ鏡筒ではなく、カメラボディの前面に設けた撮影用開口を取り囲む位置にアダプタ鏡筒を着脱自在に保持するマウント部を設けたから、レンズ鏡筒が沈胴するタイプのカメラでも撮影レンズの前方にアダプタ鏡筒を支障なく配置することができるとともに、簡便に装着することができる。また、マウント部の所定の回転位置にアダプタ鏡筒を位置決めすることができるため、アダプタ鏡筒を精度良く取り付けることができる。さらに、アダプタ鏡筒を使用しないときには、化粧リングをマウント部に取り付けるから、カメラの外観を損ねることはない。しかも、化粧リングをマウント部に対して自由度のある取付けにしたから、マウント部への装着が簡便に行える。
【００３１】
また、別の発明によれば、光軸前方の位置で外付け光学系を保持する長筒部をアダプタ鏡筒に設けているから、例えば撮影レンズがズームレンズの場合でも変倍に支障なくアダプタ鏡筒をマウント部に装着することができる。さらに、長筒部の先端外周の一部を切り欠いたカット部が所定の回転位置に来るようにアダプタ鏡筒がマウント部に装着されるため、ストロボ光路を遮ることを確実に防止することができる。
【図面の簡単な説明】
【図１】電子スチルカメラの外観を示す斜視図であり、レンズ鏡筒を沈胴した沈胴状態を示している。
【図２】レンズ鏡筒を突出した電子スチルカメラを示す斜視図である。
【図３】電子スチルカメラから化粧板を取り外した状態を示す分解斜視図である。
【図４】電子スチルカメラにアダプターを取り付ける状態を示す分解斜視図である。
【図５】バヨネット突起及びロック手段の要部を示す斜視図である。
【図６】化粧リングの内面を示した展開図である。
【図７】アダプターの鏡筒部の内面を示した展開図である。
【符号の説明】
２  電子スチルカメラ
３  撮影レンズ
４  レンズ鏡筒
５  カメラボディ
７  ファインダー光学系
８  ストロボ発光部
９  マウント部
１０  化粧リング
１１ａ，１１ｂ  第１突起
１１ｃ  第２突起
１５  アダプター
１６  フロントコンバーター
１７  鏡筒部
２１  ロック解除操作部
２４ａ〜２４ｃ，２８ｃ  第２溝
２８ａ，２８ｂ  第１溝
【図１】
0003999404.tif 000002
【図２】
0003999404.tif 000003
【図３】
0003999404.tif 000004
【図４】
0003999404.tif 000005
【図５】
0003999404.tif 000006
【図６】
0003999404.tif 000007
【図７】
0003999404.tif 000008